(57)【特許請求の範囲】
【請求項１】
柱状の燃料電池セルを複数個立設させた状態で配列し、隣接する前記燃料電池セル間に集電部材を介して電気的に接続してなるセルスタックと、前記燃料電池セルの下端が固定されている前記燃料電池セルに反応ガスを供給するためのマニホールドと、該マニホールドに反応ガスを供給するための反応ガス供給管とを具備するセルスタック装置であって、前記反応ガス供給管は反応ガス供給口を有しており、該反応ガス供給口が前記マニホールドの前記燃料電池セルの配列方向における中央部に、かつ前記配列方向と直交する方向における幅の中央部に位置するように、前記反応ガス供給管が前記マニホールドの内部に挿入されているとともに、前記反応ガス供給管が、前記マニホールドの内部底面と間隔をあけて配置され、前記反応ガス供給口が前記マニホールドの内部底面と対向していることを特徴とするセルスタック装置。
【請求項２】
柱状の燃料電池セルを複数個立設させた状態で配列し、隣接する前記燃料電池セル間に集電部材を介して電気的に接続してなるセルスタックと、前記燃料電池セルの下端が固定されている前記燃料電池セルに反応ガスを供給するためのマニホールドと、該マニホールドに反応ガスを供給するための反応ガス供給管とを具備するセルスタック装置であって、前記反応ガス供給管は反応ガス供給口を有しており、該反応ガス供給口が前記マニホールドの前記燃料電池セルの配列方向における中央部に、かつ前記配列方向と直交する方向における幅の中央部に位置するように、前記反応ガス供給管が前記マニホールドの内部に挿入されているとともに、前記反応ガス供給管が、前記マニホールドの内部底面に配置され、前記反応ガス供給口が前記マニホールドの内部上面と対向していることを特徴とするセルスタック装置。
【請求項３】
前記マニホールドの内部に挿入されている前記反応ガス供給管が、前記燃料電池セルの配列方向に沿う前記マニホールドの対向する両側面とそれぞれ接合されていることを特徴とする請求項１に記載のセルスタック装置。
【請求項４】
請求項１乃至請求項３のうちいずれかに記載のセルスタック装置を収納容器内に収納してなることを特徴とする燃料電池モジュール。
【請求項５】
請求項４に記載の燃料電池モジュールを外装ケース内に収納してなることを特徴とする燃料電池装置。
【発明の詳細な説明】
【技術分野】
【０００１】
本発明は、複数個の燃料電池セルを配列してなるセルスタックと、セルスタックを固定するマニホールドと、マニホールドに接続された反応ガス供給管とを具備してなるセルスタック装置およびそれを具備する燃料電池モジュールならびに燃料電池装置に関する。
【背景技術】
【０００２】
近年、次世代エネルギーとして、燃料ガス（水素含有ガス）と酸素含有ガス（通常、空気である）とを用いて電力を得ることができる燃料電池セルを複数個配列してなるセルスタック（装置）を収納容器内に収納してなる燃料電池モジュールが提案されている（例えば、特許文献１参照。）。
【０００３】
図８は従来の燃料電池モジュール７０を示す外観斜視図であり、収納容器７１内に複数個の燃料電池セル７２を配列してなるセルスタック７４を収納して燃料電池モジュール７０が構成されている。
【０００４】
ここで、セルスタック７４の上方にはＵの字状の改質器７５が配置されており、原燃料供給管７７より供給された原燃料は、改質器７５内にて水蒸気改質等の改質反応が行なわれて燃料ガス（水素含有ガス）に改質される。そして改質器７５にて生成された反応ガス（燃料ガス）は、反応ガス供給管７６を介してマニホールド７３に供給され、マニホールド７３から各燃料電池セル７２に反応ガス（図７においては燃料ガス）が供給される。なお、マニホールド７３、セルスタック７４、燃料ガス供給管７６の構成によりセルスタック装置８０が構成されている。
【０００５】
また図９は、図８で示したセルスタック装置８０を概略的に示す側面図および一部拡大平面図であり、一対の対向する平坦面をもつ柱状の導電性支持基板９０の一方の平坦面上に燃料側電極層８７、固体電解質層８８及び空気側電極層８９を順次積層してなる柱状の燃料電池セル８１の複数個を、隣接する燃料電池セル８１間に集電部材８２を介装して電気的に直列に接続してセルスタックを形成し、燃料電池セル８１の下端を、燃料電池セル８１に反応ガス（燃料ガス）を供給するマニホールド８５に固定して形成されている。なお、導電性支持基板９０は多孔質体からなり、内部に長手方向に貫通した複数のガス流路９１が形成されている。また、マニホールド８５の一端側には反応ガス供給管８６が連結されている。改質器７５より供給された反応ガス（燃料ガス）は、マニホールド８５を介して導電性支持基板９０に設けられたガス流路９１を流通するとともに、燃料側電極層８７に供給されるように構成されている。
【０００６】
また図１０は、図９で示したセルスタック装置８０のうち、マニホールド８５と反応ガス供給管８６との接続を示す断面図であり、反応ガス供給管８６の一端部がマニホールド８５の一端と連結されている。
【特許文献１】特開２００７−５９３７７号公報
【発明の開示】
【発明が解決しようとする課題】
【０００７】
しかしながら、図９および図１０に示すセルスタック装置８０においては、反応ガス供給管８６がマニホールド８５の一端に連結されていることから、反応ガス供給管８６側に位置する燃料電池セル８１には反応ガス（燃料ガス）が十分に供給されるものの、マニホールド８５の他端側に位置する燃料電池セル８１には、反応ガス（燃料ガス）を十分に供給することができないおそれがあり、それに伴い、発電効率が低下するおそれがある。
【０００８】
それゆえ、本発明は、セルスタック装置を構成する各燃料電池セルに十分な反応ガスを供給することが可能なセルスタック装置およびそれを具備する燃料電池モジュールならびに燃料電池装置を提供することを目的とする。
【課題を解決するための手段】
【０００９】
本発明のセルスタック装置は、柱状の燃料電池セルを複数個立設させた状態で配列し、隣接する前記燃料電池セル間に集電部材を介して電気的に接続してなるセルスタックと、前記燃料電池セルの下端が固定されている前記燃料電池セルに反応ガスを供給するためのマニホールドと、該マニホールドに反応ガスを供給するための反応ガス供給管とを具備するセルスタック装置であって、前記反応ガス供給管は反応ガス供給口を有しており、該反応ガス供給口が前記マニホールドの前記燃料電池セルの配列方向における中央部に、かつ前記配列方向と直交する方向における幅の中央部に位置するように、前記反応ガス供給管が前記マニホールドの内部に挿入されているとともに、前記反応ガス供給管が、前記マニホールドの内部底面と間隔をあけて配置され、前記反応ガス供給口が前記マニホールドの内部底面と対向していることを特徴とする。
【００１０】
このようなセルスタック装置においては、反応ガス供給口を有する反応ガス供給管が、反応ガス供給口がマニホールドの燃料電池セルの配列方向における中央部に位置するように、マニホールドの内部に挿入されていることから、マニホールドの内部の上面側に供給される反応ガスの量を均一に近づけることができるため、セルスタックを構成する各燃料電池セルに供給される反応ガスの量を均一に近づけることができる。それにより、発電効率が向上したセルスタック装置とすることができる。
また、反応ガス供給口が、さらにマニホールドの燃料電池セルの配列方向と直交する方向における幅の中央部に位置していることから、マニホールドの内部の上面側に供給される反応ガスの量を均一に近づけることができるため、セルスタックを構成する各燃料電池セルに供給される反応ガスの量を均一に近づけることができる。
さらに、反応ガス供給管がマニホールドの内部底面と間隔をあけて挿入されているとともに、反応ガス供給口がマニホールドの内部底面と対向して設けられていることから、反応ガス供給口より供給される反応ガスは、マニホールドの底面に向けて流れた後、マニホールドの内部全体に拡散して、マニホールドに固定された各燃料電池セルに供給されることとなる。それにより、セルスタックを構成する各燃料電池セルに供給される反応ガスの量を均一に近づけることができ、発電効率が向上したセルスタック装置とすることができる。
【００１１】
また、本発明のセルスタック装置は、前記反応ガス供給口が、前記マニホールドの前記燃料電池セルの配列方向と直交する方向における幅の中央部に位置していることが好ましい。
【００１５】
また、本発明のセルスタック装置は、柱状の燃料電池セルを複数個立設させた状態で配列し、隣接する前記燃料電池セル間に集電部材を介して電気的に接続してなるセルスタックと、前記燃料電池セルの下端が固定されている前記燃料電池セルに反応ガスを供給するためのマニホールドと、該マニホールドに反応ガスを供給するための反応ガス供給管とを具備するセルスタック装置であって、前記反応ガス供給管は反応ガス供給口を有しており、該反応ガス供給口が前記マニホールドの前記燃料電池セルの配列方向における中央部に、かつ前記配列方向と直交する方向における幅の中央部に位置するように、前記反応ガス供給管が前記マニホールドの内部に挿入されているとともに、前記反応ガス供給管が、前記マニホールドの内部底面に配置され、前記反応ガス供給口が前記マニホールドの内部上面と対向していることを特徴とする。
【００１６】
このようなセルスタック装置においては、反応ガス供給管の一端部がマニホールドの内部底面上に配置されているとともに、反応ガス供給口がマニホールドの内部上面と対向して設けられていることから、反応ガス供給口からマニホールドの内部上面までの距離を長くすることができる。それにより、反応ガス供給口より供給される反応ガスは、マニホールドの上面に至るまでの間にマニホールドの内部全体に拡散して、マニホールドに固定された各燃料電池セルに供給されることとなる。それにより、セルスタックを構成する各燃料電池セルに供給される反応ガスの量を均一に近づけることができ、発電効率が向上したセルスタック装置とすることができる。
【００１７】
また、本発明のセルスタック装置は、前記マニホールドの内部に挿入されている前記反応ガス供給管が、前記燃料電池セルの配列方向に沿う前記マニホールドの対向する両側面とそれぞれ接合されていることが望ましい。
【００１８】
このようなセルスタック装置においては、マニホールドの内部に挿入されている反応ガス供給管が、燃料電池セルの配列方向に沿うマニホールドの対向する両側面とそれぞれ接合されていることから、反応ガス供給管のマニホールドの挿入部における応力を緩和することができる。それにより、反応ガス供給管の変形を抑制できるほか、反応ガス供給管のマニホールド挿入部におけるガスシール性を向上することができる。
【００１９】
本発明の燃料電池モジュールは、上記のうちいずれかに記載のセルスタック装置を収納容器内に収納してなることを特徴とする。
【００２０】
このような燃料電池モジュールにおいては、発電効率の向上したセルスタック装置を収納容器内に収納してなることから、発電効率の向上した燃料電池モジュールとすることができる。
【００２１】
本発明の燃料電池装置は、上記に記載の燃料電池モジュールを外装ケース内に収納してなることを特徴とする。
【００２２】
このような燃料電池装置においては、発電効率の向上したセルスタック装置を収納容器内に収納してなる燃料電池モジュールを外装ケース内に収納してなることから、発電効率の向上した燃料電池装置とすることができる。
【発明の効果】
【００２３】
本発明のセルスタック装置は、マニホールドの内部の上面側に供給される反応ガスの量を均一に近づけることができるため、セルスタックを構成する各燃料電池セルに供給される反応ガスの量を均一に近づけることができる。それにより、発電効率が向上したセルスタック装置とすることができる。また、本発明の燃料電池モジュールは、上記セルスタック装置を収納容器内に収納してなることから、発電効率を向上させることができる。さらに、本発明の燃料電池装置は、上記燃料電池モジュールを外装ケース内に収納してなることから、発電効率を向上させることができる。
【発明を実施するための最良の形態】
【００２４】
図１は、本発明のセルスタック装置１の一例を示したものであり、（ａ）はセルスタック装置１を概略的に示す側面図、（ｂ）は（ａ）のセルスタック装置１の一部拡大平面図であり、（ａ）で示した点線枠で囲った部分を抜粋して示している。また、同一の部材については同一の番号を付するものとし、以下同様とする。なお、（ｂ）において（ａ）で示した点線枠で囲った部分の対応する部分を明確とするために矢印にて示している。
【００２５】
ここで、セルスタック装置１は、一対の対向する平坦面をもつ柱状の導電性支持基板１１（以下、支持基板１１と略す場合がある）の少なくとも一方の平坦面上に燃料側電極層８、固体電解質層９及び空気側電極層１０を順次積層してなる柱状の燃料電池セル２の複数個を、隣接する燃料電池セル２間に集電部材３を介装して電気的に直列に接続してセルスタックを形成し、燃料電池セル２の下端を、燃料電池セル２に反応ガスを供給するマニホールド６に固定して形成されている。そして、下端がマニホールド６に固定され、燃料電池セル２の配列方向の両端部から集電部材３を介してセルスタックを挟持するように配置される端部集電部材４を具備する。また、マニホールド６には反応ガス（例えば、燃料ガス）を供給するための反応ガス供給管７が接続されている。なお、マニホールド６および反応ガス供給管７の構成については、後に詳述する。
【００２６】
また、図１に示す端部集電部材４においては、燃料電池セル２の配列方向に沿って、外側に向けて延びるとともに、燃料電池セル２の発電により生じる電流を引き出すための電流引き出し部５が設けられている。
【００２７】
さらに、支持基板１１の他方の平坦面上にはインターコネクタ１３が設けられており、支持基板１１の内部には、燃料電池セル２に反応ガスを流すためのガス流路１２が複数設けられている。なお、図１に示すセルスタック装置１においては、ガス流路１２にマニホールド６より燃料ガス（水素含有ガス）を供給する場合の例を示しており、あわせて反応ガス供給管７より燃料ガスがマニホールド６内に供給される。
【００２８】
また、インターコネクタ１３の外面（上面）にはＰ型半導体１４を設けることもできる。集電部材３を、Ｐ型半導体１４を介してインターコネクタ１３に接続させることにより、両者の接触がオーム接触となり、電位降下を少なくし、集電性能の低下を有効に回避することが可能となる。
【００２９】
また、支持基板１１が燃料側電極を兼ねるものとし、その表面に固体電解質層９および空気側電極層１０を順次積層して燃料電池セル２を構成することもできる。
【００３０】
なお、燃料電池セル２としては、各種燃料電池セルが知られているが、燃料電池を小型化、高効率化する上で、固体酸化物形燃料電池セルとすることができる。それにより、燃料電池装置を小型化、高効率化することができるとともに、家庭用燃料電池で求められる変動する負荷に追従する負荷追従運転を行なうことができる。
【００３１】
以下に、図１において示す燃料電池セル２を構成する各部材について説明する。
燃料側電極層８は、一般的に公知のものを使用することができ、多孔質の導電性セラミックス、例えば希土類元素が固溶しているＺｒＯ２（安定化ジルコニアと称する）とＮｉおよび／またはＮｉＯとから形成することができる。
【００３２】
固体電解質層９は、電極８と電極１０間の電子の橋渡しをする電解質としての機能を有していると同時に、燃料ガスと酸素含有ガスとのリークを防止するためにガス遮蔽性を有することが必要とされ、３〜１５モル％の希土類元素が固溶した緻密質のＺｒＯ２系セラミックスから形成される。なお、上記特性を有する限りにおいては、他の材料等を用いて形成してもよい。  空気側電極層１０は、一般的に用いられるものであれば特に制限はなく、例えば、いわゆるＡＢＯ３型のペロブスカイト型酸化物からなる導電性セラミックスから形成することができる。空気側電極層１０はガス透過性を有していることが必要であり、開気孔率が２０％以上、特に３０〜５０％の範囲にあることが好ましい。
インターコネクタ１３は、導電性セラミックスから形成することができるが、燃料ガス（水素含有ガス）および酸素含有ガス（空気等）と接触するため、耐還元性及び耐酸化性を有することが必要であり、それゆえランタンクロマイト系のペロブスカイト型酸化物（ＬａＣｒＯ３系酸化物）が好適に使用される。インターコネクタ１３は支持基板１１に形成されたガス流路１２を流通する燃料ガス、および支持基板１１の外側を流通する酸素含有ガスのリークを防止するために緻密質でなければならず、９３％以上、特に９５％以上の相対密度を有していることが好ましい。  支持基板１１としては、燃料ガスを燃料側電極層８まで透過するためにガス透過性であること、さらには、インターコネクタ１３を介して集電するために導電性であることが要求される。したがって、支持基板１１としては、かかる要求を満足するものを材質として採用する必要があり、例えば導電性セラミックスやサーメット等の多孔質セラミックスを用いることができる。
また、図１に示した燃料電池セル２において、柱状の支持基板１１は、立設方向に細長く延びる板状片であり、平坦な両面と半円形状の両側面を有する中空平板状に形成されている。そして燃料電池セル２の下端と、端部集電部材４とが、燃料電池セル２（ガス流路１２）に燃料ガスを供給するマニホールド６に接合材によって固定されている。
【００３３】
また、燃料電池セル２を作製するにあたり、燃料側電極層８または固体電解質層９との同時焼成により支持基板１１を作製する場合においては、鉄属金属成分と特定希土類酸化物とから支持基板１１を形成することが好ましい。支持基板１１は、所要のガス透過性を備えるために開気孔率が３０％以上、特に３５〜５０％の範囲にあるのが好適であり、その導電率は３００Ｓ／ｃｍ以上、特に４４０Ｓ／ｃｍ以上であるのが好ましい。なお、以降の説明において、中空平板状の燃料電池セル２を用いて説明する。  さらに、Ｐ型半導体層１４としては、遷移金属ペロブスカイト型酸化物からなる層を例示することができる。具体的には、インターコネクタ１３を構成するランタンクロマイト系のペロブスカイト型酸化物（ＬａＣｒＯ３系酸化物）よりも電子伝導性が大きいもの、例えば、ＢサイトにＭｎ、Ｆｅ、Ｃｏなどが存在するＬａＭｎＯ３系酸化物、ＬａＦｅＯ３系酸化物、ＬａＣｏＯ３系酸化物などの少なくとも一種からなるＰ型半導体セラミックスを使用することができる。このようなＰ型半導体層１４の厚みは、一般に、３０〜１００μｍの範囲にあることが好ましい。
【００３４】
燃料電池セル２を電気的に接続するために介装される集電部材３は、弾性を有する金属または合金からなる部材あるいは金属繊維または合金繊維から成るフェルトに所要の表面処理を施した部材から構成することができる。
【００３５】
図２は、本発明のセルスタック装置１のうち、マニホールド６と反応ガス供給管（図２においては燃料ガス供給管）７との接続を示す断面図であり、マニホールド６と反応ガス供給管７とを抜粋して示している。なお、以降の図面においても、特に断りがない限り同様に示している。
【００３６】
図２において、反応ガス供給口１５を有する反応ガス供給管７の一端部が、マニホールド６の燃料電池セル２（図２においては省略して示している）の配列方向における中央部に位置するようにマニホールド６の内部に挿入されている例を示している。
【００３７】
ところで、図１０に示したように、マニホールドの一端に反応ガス供給管が連結されている場合には、反応ガス供給管側に位置する燃料電池セルに多くの反応ガスが供給され、マニホールドの他端側に位置する燃料電池セルに供給される反応ガスの量が少なくなり、セルスタック装置の発電量が低下するおそれがある。
【００３８】
一方、図２に示したセルスタック装置１においては、反応ガス供給管７の反応ガス供給口１５が、マニホールド６の燃料電池セル２の配列方向における中央部に位置するように、反応ガス供給管７がマニホールド６内に挿入されていることから、反応ガス供給口１５より供給される反応ガス（燃料ガス等）がマニホールド６の内部全体に拡散し、マニホールド６の内部の上面側に供給される反応ガスの量を均一に近づけることができる。
【００３９】
それによりセルスタックを構成する各燃料電池セル２に十分な量の反応ガスを供給することができ、特に、セルスタックの一端側に位置する燃料電池セル２と他端側に位置する燃料電池セル２に供給される反応ガスの量に差が生じることを抑制することができる。すなわち、各燃料電池セル２に供給される反応ガスの量を均一に近づけることができる。それにより、セルスタック装置１の発電量が低下することを抑制することができ、発電効率が向上したセルスタック装置１とすることができる。
【００４０】
また、図２には示していないが、反応ガス供給口１５は、燃料電池セル２の配列方向と直交する方向における幅の中央部に位置するように設けられている。それにより、セルスタックを構成する各燃料電池セル２に反応ガスを効率よく供給することができ、セルスタック装置１の発電効率を向上することができる。
【００４１】
なお、マニホールド６に複数のセルスタックを並置する場合においては、反応ガス供給口１５はマニホールド６の幅方向（料電池セル２の配列方向と直交する方向における幅）の中央部に位置するように設ける。例えば、マニホールド６に２つのセルスタックを並置して配置する場合においては、反応ガス供給口１５はセルスタック間の中央部に位置するように設ける。
【００４２】
さらに、図２においては、マニホールド６に挿入されている反応ガス供給管７が、マニホールド６の内部底面と間隔をあけて配置されているとともに、反応ガス供給口１５がマニホールド６の内部底面と対向して設けられている例を示している。
【００４３】
反応ガス供給管７をマニホールド６の内部底面と間隔をあけて配置し、さらに反応ガス供給口１５をマニホールド６の内部底面と対向するように設けることにより、反応ガス供給口１５より供給される反応ガスは、マニホールド６の底面に向けて流れた後、マニホールド６の内部全体に拡散して、マニホールド６に固定された各燃料電池セル６に供給されることとなる。すなわち、このような構成とすることにより、反応ガス供給口１５から燃料電池セル２までの距離を実質的に長くすることができる。
【００４４】
それにより、セルスタックを構成する各燃料電池セル２に供給される反応ガスの量を均一に近づけることができ、発電効率を向上させることができる。
【００４５】
なお、反応ガス供給管７をマニホールド６の内部底面と間隔をあけて配置するにあたり、この間隔は、マニホールド６の大きさやセルスタックを構成する各燃料電池セル２の数等により適宜設定することができる。
【００４６】
図３は、本発明のセルスタック装置１の他の一例を示しており、マニホールド６の内部に挿入されている反応ガス供給管７が、マニホールド６の内部底面に配置されているとともに、反応ガス供給口１５がマニホールド６の内部上面（燃料電池セル２側）と対向して設けられている例を示す断面図である。
【００４７】
ここで、反応ガス供給管７をマニホールド６内部底面に配置し、かつ反応ガス供給口１５がマニホールド６の内部上面と対向して設けられていることから、反応ガス供給口１５からマニホールド６の内部上面（すなわちセルスタックを構成する各燃料電池セル２）までの距離を長くすることができる。
【００４８】
すなわち、反応ガス供給口１５より供給される反応ガスは、マニホールド６の内部上面に至るまでの間にマニホールド６の内部全体に拡散して、セルスタックを構成する各燃料電池セル６に供給することができる。
【００４９】
それにより、セルスタックを構成する各燃料電池セル２に供給される反応ガスの量を均一に近づけることができ、発電効率を向上させることができる。
【００５０】
なお、マニホールド６の内部上面とは、例えばマニホールド６が上面に天板を有している構造の場合にはその天板が内部上面であることを意味し、例えばマニホールド６が蓋部材を有さない形状である場合に、その上部でガラスシール材等により各燃料電池セル２を固定する場合には、そのガラスシール材を内部上面とすることができる。
【００５１】
図４は、マニホールド６内に挿入されている反応ガス供給管７が、燃料電池セル２の配列方向に沿うマニホールドの対向する両側面とそれぞれ接合されている例を示す断面図である。
【００５２】
例えば、反応ガス供給管７がマニホールド６内に挿入されており、その一端部（特には先端部）がマニホールド６と接続されていない場合（すなわち、マニホールド６の内部に浮いているような状態の場合）に、反応ガス供給管７のマニホールド６の挿入部（接合部）に応力がかかり、反応ガス供給管７が変形する可能性や反応ガスのシール性の問題が生じる可能性がある。
【００５３】
ここで、図４に示したように、反応ガス供給管７を、燃料電池セル２の配列方向に沿うマニホールド６の対向する両側面とそれぞれ接合させることにより、反応ガス供給管７のマニホールド６の挿入部（接合部）における応力を緩和することができる。それにより、反応ガス供給管７の変形を抑制するほか、ガスシール性を向上することができる。
【００５４】
さらに、反応ガス供給管７を、燃料電池セル２の配列方向に沿うマニホールド６の対向する両側面とそれぞれ接合させることにより、反応ガス供給管７により反応ガスの流れが不均一となることを抑制できる。すなわち、反応ガス供給口１５より供給される反応ガスの流れ（マニホールド６内部での拡散度合い）において、マニホールド６内に配置された反応ガス供給管７による影響を抑制することができ、マニホールド６の内部全体により均一に拡散することができる。
【００５５】
それにより、セルスタックを構成する各燃料電池セル２に供給される反応ガスの量を均一に近づけることができることから、発電効率を向上することができる。
【００５６】
なお、図４においては図示していないが、反応ガス供給管７を、燃料電池セル２の配列方向に沿うマニホールド６の対向する両側面と接合させる場合において、反応ガス供給管７内を流れる反応ガスが、燃料電池セル２の配列方向における中央部に設けられた反応ガス供給口１５よりマニホールド６内に供給されればよい。それゆえ、図４に示したように、反応ガス供給管７の内部の反応ガス流路を反応ガス供給口１５までとするほか、反応ガス流路を反応ガス供給管７の内部をマニホールド６の対向する両側面間にわたるように設けることもできる。  
【００５７】
ところで、上述においては、反応ガス供給管７をマニホールド６の内部に挿入して配置する例を示したが、反応ガス供給管７をマニホールド６の底部に接続するように設けることもできる。
【００５８】
図５は、反応ガス供給管７の一端部をマニホールド６の底部に接続するように配置したセルスタック装置１の他の一例を示す断面図である。
【００５９】
ここで、図５に示したセルスタック装置１においても、反応ガス供給口１５を有する反応ガス供給管７の一端部が、マニホールド６の燃料電池セル２（図２においては省略して示している）の配列方向における中央部に位置するように配置されている例を示している。それにより、反応ガス供給口１５より供給される反応ガスは、マニホールド６の内部を上面側に流れる間にマニホールド６の内部全体に拡散することで、マニホールド６の内部の上面側に供給される反応ガスの量を均一に近づけることができる。それゆえ、セルスタックを構成する各燃料電池セル２に供給される反応ガスの量を均一に近づけることができ、発電効率を向上することができる。
【００６０】
また、反応ガス供給管７をマニホールド６の底面に接続する場合においては、反応ガス供給口１５より供給される反応ガスの流れは、反応ガス供給管７の形状等による影響を受けることがない。それゆえ、反応ガス供給口１５より供給される反応ガスは、マニホールド６の内部全体により均一に拡散することができ、それにより燃料電池セル２の発電効率を向上することができる。
【００６１】
なお、図５においては、反応ガス供給管７がマニホールド６の底面を燃料電池セル２の配列方向に沿って配置され、その一端部がマニホールド６に接続されている例を示したが、たとえば、反応ガス供給管７の一端部（特には反応ガス供給口１５を含む先端部）だけを、マニホールド６の底部に接続するように配置することもできる。
【００６２】
図６は、本発明の燃料電池モジュールの一例を示す外観斜視図である。本発明の燃料電池モジュール１６においては、上述したセルスタック装置２０を収納容器１７内に挿入して配置することにより、燃料電池モジュール１６が構成される。
【００６３】
なお、図６に示したセルスタック装置２０においては、燃料電池セル２（セルスタック）の上方に、原燃料を供給する原燃料供給管１９が接続されたＵの字状の改質器１８が配置されており、改質器１８での改質反応により改質された反応ガス（燃料ガス）が、反応ガス供給管７を通じてマニホールド６に供給される。
【００６４】
ここで、本発明の燃料電池モジュール１６は、セルスタックを構成する各燃料電池セル２に供給される反応ガスの量を均一に近づけることができるセルスタック装置２０を収納容器１７内に収納してなることから、発電効率の向上した燃料電池モジュール１６とすることができる。
【００６５】
なお、このような燃料電池モジュール１６においては、原燃料供給管１９より供給される原燃料が、改質器１８の内部に設けられた改質触媒により燃料ガスに改質される。改質器１８にて生成された燃料ガスは、反応ガス供給管７を通じてマニホールド６に供給された後、各燃料電池セル２に供給される。燃料電池セル２においては、マニホールド６より供給された燃料ガスと、セルスタックの側方（燃料電池セル２の配列方向に沿った側方）から供給される酸素含有ガスとで発電を行う。なお、燃料電池セル２の発電で使用されなかった燃料ガスと酸素含有ガスは、燃料電池セル２の上端部側で燃焼させることにより、余剰の燃料ガスが燃料電池モジュールより排気されることを抑制できるとともに、燃料電池セル２の温度を高温に維持するほか、改質器１８の温度を上昇させることができ、改質器１８にて効率よく改質反応を行わせることができる。それにより、発電効率の向上した燃料電池モジュール１６とすることができる。
【００６６】
図７は、本発明の燃料電池装置２１の一例を示す分解斜視図である。なお、図７においては一部構成を省略して示している。
【００６７】
図７に示す燃料電池装置２１は、支柱２２と外装板２３から構成される外装ケース内を仕切り板２４により上下に区画し、その上方側を上述した燃料電池モジュール２９を収納するモジュール収納室２５とし、下方側を燃料電池モジュール２９を動作するための補機類を収納する補機収納室２６として構成されている。なお、補機収納室２６に収納する補機類を省略して示している。
【００６８】
また、仕切り板２４には、補機収納室２６の空気をモジュール収納室２５側に流すための空気流通口２７が設けられており、モジュール収納室２５を構成する外装板２３の一部に、モジュール収納室２５内の空気を排気するための排気口２８が設けられている。
【００６９】
このような燃料電池装置２１においては、上述したように、発電効率を向上することができるセルスタック装置１を収納容器に収納してなる燃料電池モジュール２９をモジュール収納室２５に収納して構成されることにより、発電効率の向上した燃料電池装置２１とすることができる。
【００７０】
以上、本発明について詳細に説明したが、本発明は上述の実施の形態に限定されるものではなく、本発明の要旨を逸脱しない範囲内において、種々の変更、改良等が可能である。
【００７１】
例えば、反応ガス供給管７より供給する反応ガスを酸素含有ガスとすることもできる。この場合においても、各燃料電池セル２に供給する酸素含有ガスの量を均一に近づけることができ、発電効率の向上したセルスタック装置とすることができる。
【００７２】
また、反応ガス供給管７の形状や大きさも適宜設計することができ、たとえば、単なる管形状のほか、例えば板状の形状とすることもできる。
【００７３】
さらに、上述の説明において柱状の燃料電池セル２の一例として中空平板状の燃料電池セル２を用いて説明したが、他に例えば円筒状の燃料電池セル２などを用いることもできる。
【００７４】
さらに、マニホールド６の底部に反応ガス供給管７を配置する場合に、反応ガス供給管７をマニホールド６の一端から他端にわたって配置することもできる。
【図面の簡単な説明】
【００７５】
【図１】本発明のセルスタック装置の一例を示しており、（ａ）は側面図を、（ｂ）は一部を抜粋して示す平面図である。
【図２】マニホールドの内部に反応ガス供給管を挿入していることを示す断面図である。
【図３】マニホールドの内部底面上に反応ガス供給管を配置していることを示す断面図である。
【図４】反応ガス供給管が、燃料電池セルの配列方向に沿うマニホールドの対向する両側面と接続されていることを示す断面図である。
【図５】マニホールドの底部に反応ガス供給管の一端部を接続していることを示す断面図である。
【図６】本発明の燃料電池モジュールの一例を示す分解斜視図である。
【図７】本発明の燃料電池装置の一例を示す分解斜視図である。
【図８】従来の燃料電池モジュールの一例を示す外観斜視図である。
【図９】従来のセルスタック装置の一例を示しており、（ａ）は側面図を、（ｂ）は一部を抜粋して示す平面図である。
【図１０】従来のセルスタック装置におけるマニホールドと反応ガス供給管との接続を示す断面図である。
【符号の説明】
【００７６】
１：セルスタック装置
２：燃料電池セル
６：マニホールド
７：反応ガス供給管
１５：反応ガス供給口
【図１】
0005334456.tif 000002
【図２】
0005334456.tif 000003
【図３】
0005334456.tif 000004
【図４】
0005334456.tif 000005
【図５】
0005334456.tif 000006
【図６】
0005334456.tif 000007
【図７】
0005334456.tif 000008
【図８】
0005334456.tif 000009
【図９】
0005334456.tif 000010
【図１０】
0005334456.tif 000011